(57)【要約】【課題】  鍔部や穂先ホルダー部に対して合理的な改造を施すことによって、釣り糸の糸取付軸部への取り付けを容易に行うことのできる釣り竿の竿先構造を提供する点にある。【解決手段】  穂先竿の竿先端に取り付ける金属製の釣り糸連結部材１に、釣り糸を連結する糸取付軸部１Ａと、糸取付軸部１Ａの竿元側に糸取付軸部１Ａより大径で穂先竿３の竿先端に装着される穂先ホルダー部２と、糸取付軸部１Ａの竿先側に位置し穂先ホルダー部２より大径の鍔部１Ｃとを形成する。穂先ホルダー部２の外周面を、糸取付軸部１Ａに向けて大径化するテーパ面に形成してある。【選択図】        図１
2008278841.tif 000002
【特許請求の範囲】
【請求項１】
硬質材製の釣り糸連結部材を穂先竿の竿先端に取り付けるとともに、前記釣り糸連結部材に、釣り糸を連結する糸取付軸部と、前記糸取付軸部の竿元側に前記糸取付軸部より大径で前記穂先竿の竿先端に装着される穂先ホルダー部と、前記糸取付軸部の竿先側に位置し前記穂先ホルダー部より大径の鍔部とを形成し、前記穂先ホルダー部の外周面を、前記糸取付軸部に向けて大径化するテーパ面に形成してある釣り竿の竿先構造。
【請求項２】
前記釣り糸連結部材を、前記穂先竿の竿先端に回転不能に装着してある請求項１記載の釣り竿の竿先構造
【請求項３】
前記糸取付軸部と鍔部とを一体で、前記穂先ホルダー部に対して、前記糸取付軸部の軸線回りで回転可能に支持してある請求項１記載の釣り竿の竿先構造。
【請求項４】
前記釣り糸を括り付けた前記糸取付軸部を覆う被覆体を設けてある請求項１から３のうちの何れか一つに記載の釣り竿の竿先構造。
【発明の詳細な説明】
【技術分野】
【０００１】
本発明は、釣り糸連結部材を穂先竿の先端に取り付けてある釣り竿の竿先構造に関する。
【背景技術】
【０００２】
上記した釣り糸連結部材は、釣り糸が連結される小径の糸取付軸部の先側に、糸取付軸部からの糸抜けを防止する大径の鍔部を配置するとともに、糸取付軸部の竿元側に略同径の穂先ホルダー部を配置し、大径の鍔部と大径の穂先ホルダー部とに挟まれた短い間隔で糸取付軸部が配置してあった（非特許文献１参照）。
【０００３】
【非特許文献１】特願２００７−１２７３０号（段落番号〔００１６〕〔００２０〕、図１）
【発明の開示】
【発明が解決しようとする課題】
【０００４】
上記構成においては、鍔部と穂先ホルダー部とが糸取付軸部より大径であり、糸取付軸部が両大径部分に挟まれた狭い部位にあるので、直接糸取付軸部に釣り糸を括り付けることには大変困難が伴っていた。
また、釣り糸連結部材自体が穂先竿の先端に装着されるものであるために、手指に比べて十分小さなものであり、それだけに、釣り糸の装着に難儀していた。
【０００５】
本発明の目的は、鍔部や穂先ホルダー部に対して合理的な改造を施すことによって、釣り糸の糸取付軸部への取り付けを容易に行うことのできる釣り竿の竿先構造を提供する点にある。
【課題を解決するための手段】
【０００６】
〔構成〕
請求項１に係る発明の特徴構成は、硬質材製の釣り糸連結部材を穂先竿の竿先端に取り付けるとともに、前記釣り糸連結部材に、釣り糸を連結する糸取付軸部と、前記糸取付軸部の竿元側に前記糸取付軸部より大径で前記穂先竿の竿先端に装着される穂先ホルダー部と、前記糸取付軸部の竿先側に位置し前記穂先ホルダー部より大径の鍔部とを形成し、前記穂先ホルダー部の外周面を、前記糸取付軸部に向けて大径化するテーパ面に形成してある点にあり、その作用効果は次の通りである。
【０００７】
〔作用〕
穂先ホルダー部の外周面を前記糸取付軸部に向けて大径化するテーパ面に形成し、前記穂先ホルダー部より大径の鍔部とを形成することとした。これによって、次ぎのような、取付方法の採用が可能になる。
つまり、糸取付軸部に釣り糸を括り付ける前に、穂先ホルダー部に釣り糸を巻回する。この場合は、最終的に釣り糸を締め付ける前の状態でかつ穂先ホルダー部の軸線方向に移動可能な緩い締め付け状態で釣り糸の輪部分を巻回する。これによって、糸取付軸部より大径の部位で輪部分を巻回する作業ができる。
穂先ホルダー部に釣り糸の輪部分を形成した状態で、その輪部分を穂先ホルダー部の外周面上を竿先側に向けて移動させる。この操作によって、穂先ホルダー部の外周面が、前記糸取付軸部に向けて大径化するテーパ面に形成してあるので、輪部分の巻回状態が徐々に締め付け状態になっていく。
そして、さらに、穂先ホルダー部の外周面上を移動させると、穂先ホルダー部の先側端部を越えて釣り糸の輪部分が糸取付軸部に移動する。
釣り糸の輪部分が糸取付軸部に至れば、穂先ホルダー部の外周面の外径に近い状態まで、前記輪部分が縮められているので、結び目を締め付け固定する操作を行うだけで、釣り糸の輪部分を締め付けることができる。
上記操作において、釣り糸を穂先ホルダー部から糸取付軸部に移行させる際に、鍔部が穂先ホルダー部より大径であるから、釣り糸の輪部分が鍔部を越えることは少なく、これによって、釣り糸を括り付ける操作が容易に行える。
【０００８】
〔効果〕
したがって、釣り糸を装着部位に巻回して輪部分を作る作業を、大径でかつ手指を動かし易い部位となる穂先ホルダー部を利用して行うことができる。これによって、釣り糸を巻回して輪部分を作る作業を容易迅速に行い得る。
穂先ホルダー部の外周面が前記糸取付軸部に向けて大径化するテーパ面に形成してあるので、穂先ホルダー部の外周面上を移動させるだけで、釣り糸の輪部分が張り状態に徐々に切り換わり、釣り糸に締め付け操作を別個に行う必要がない。
穂先ホルダー部の先端より更に移動させると、釣り糸の輪部分は糸取付軸部に移行し、所定の締め付け位置に位置させることができ、その状態からは糸取付軸部に巻回している結び目を移動させるだけで、締め付け操作を行うことができる。
穂先ホルダー部の先端より糸取付軸部に移行させる際に、鍔部が穂先ホルダー部より大径に形成されているので、鍔部を釣り糸の輪部分が乗り越えることは少なく、楽に穂先ホルダー部から糸取付軸部への移動を行わせることができる。
【０００９】
請求項２に係る発明の特徴構成は、請求項１記載の穂先竿において、前記釣り糸連結部材を、前記穂先竿の竿先端に回転不能に装着してある点にあり、その作用効果は次の通りである。
【００１０】
〔作用効果〕
前記釣り糸連結部材を、前記穂先竿の竿先端に回転不能に装着してあるので、装着状態が強固にでき、強い引きに対しても十分な溜めを発揮する。しかも、固定するだけであるので、構造が簡単なものでよい。
【００１１】
請求項３に係る発明の特徴構成は、請求項１において、前記糸取付軸部と鍔部とを一体で、前記穂先ホルダー部に対して、前記糸取付軸部の軸線回りで回転可能に支持してある点にあり、その作用効果は次の通りである。
【００１２】
〔作用効果〕
つまり、前記糸取付軸部と鍔部とを一体で、前記穂先ホルダー部に対して、前記糸取付軸部の軸線回りで回転可能に支持してあるので、魚の走りによって、釣り糸が穂先竿を中心にして左右に振られる状態にあっても、糸取付軸部が回転することによって、釣り糸の向きが容易に切り換わり、糸取付軸部への釣り糸の結び状態を変動のないものにできる。
【００１３】
請求項４に係る発明の特徴構成は、前記釣り糸を括り付けた前記糸取付軸部を覆う被覆体を設けてある点にあり、その作用効果は次の通りである。
【００１４】
〔作用効果〕
つまり、糸取付軸部を被覆体で覆うことができるので、釣り糸が引張られても鍔部から釣り糸が抜け出すことを阻止できる。
【発明を実施するための最良の形態】
【００１５】
〔第１実施形態〕
鮎竿、及び、渓流竿等において穂先竿３の竿先端に取り付けられて、釣り糸Ａの輪部分Ａａを連結する釣り糸連結部材１について説明する。ここでは、釣り糸連結部材１を穂先竿３の竿先端に回転不能に取り付ける形態について説明する。
【００１６】
図１に示すように、釣り糸連結部材１は、釣り糸Ａの輪部分Ａａを連結する糸取付軸部１Ａと、前記糸取付軸部１Ａの竿元側に前記糸取付軸部１Ａより大径で前記穂先竿１の竿先端に装着される穂先ホルダー部２と、前記糸取付軸部１Ａの竿先側に位置し前記穂先ホルダー部２より大径の鍔部１Ｂとで構成してある。
【００１７】
図１に示すように、穂先ホルダー部２は、糸取付軸部１Ａを取り付ける側が閉塞される先側壁部２Ｂを備えている筒状体２Ａであり、穂先竿１の竿先端に外嵌固定される。穂先ホルダー部２の竿元端近くには環状凹入溝２ａが形成してあり、穂先竿３における前記環状凹入溝２ａに対応する位置にも、環状凹溝３Ａが設けてある。穂先ホルダー部２の環状凹入溝２ａは、穂先ホルダー部２を穂先竿３に外嵌した状態で、カシメ処理する際に形成され、取付固定部２Ｃを構成する。
【００１８】
釣り糸連結部材１は、硬質材で形成されるが、硬質材としては、アルミ、チタン等の金属材料が使用される。金属材料以外では、セラミック、硬質樹脂等が使用できる。釣り糸連結部材１を構成する、糸取付軸部１Ａ及び穂先ホルダー部２、鍔部１Ｂについては、一体で型成形することもできるが、個々の部品を別個に製作し、それらを、接着剤等を使用して一体に合体成形してもよい。ここでは、図１（ロ）に示すように、糸取付軸部１Ａ、穂先ホルダー部２、鍔部１Ｂを一体形成したものを提示している。
【００１９】
穂先ホルダー部２については、金属材料ではなく、プリプレグシートに基づいて形成したものを使用してもよい。この場合には、前記した環状凹入溝２ａを形成することが難しくなるので、穂先ホルダー部２を、接着剤等を使用して環状凹溝３Ａを形成していない穂先竿３の竿先端に取り付け固定する。
穂先ホルダー部２の筒状体２Ａの外周面は、竿先側に向けて徐々に大径化するテーパ面に形成する必要があるが、金属材料で形成する場合には、外周面を削り加工や型成形で行い、プリプレグシートで成形する場合は、プリプレグシートを巻回するマンドレルのテーパ面の角度で調節するようにする。
【００２０】
釣り糸連結部材１を取り付ける穂先竿３は、図示してはいないが、炭素繊維等の強化繊維を引き揃えたものを、エポキシ等の熱硬化性樹脂を貯留した槽内を通過させて樹脂を含浸させ、さらに、ダイスを通過させて、中実棒状のものに形成してあり、焼成後外周面を緩いテーパ面を有する棒状体に形成し、所定長さに裁断して形成される。
【００２１】
穂先竿１がこのような中実棒状のものに形成してあるので、剛性が高く魚信を感知しやすい。しかも、釣り糸連結部材１も金属等の硬質材で構成してあるので、この釣り糸連結部材１を穂先竿３に取り付けることによって、いっそう、魚信を感知し易くなっている。
穂先ホルダー部２を金属材料、又は、プリプレグ材料で形成した場合であっても、外周面を円滑に構成するために、クロムメッキ等を施してもよい。
【００２２】
以上のような構成になる釣り糸連結部材１を穂先竿３に取り付けた状態で、その釣り糸連結部材１に釣り糸２を取り付ける方法を説明する。図１（イ）に示すように、穂先ホルダー部２の筒状体２Ａに釣り糸Ａの先端を巻き付けながら、輪部分Ａａを形成する。輪部分Ａａは、巻回した状態では、まだ、十分に締まり切ってはいない。
そこで、穂先ホルダー部２に巻回した輪部分Ａａを糸取付軸部１Ａ側に向けて移動させると、穂先ホルダー部２の筒状体２Ａの外周面が徐々に大径化するものに形成されているので、釣り糸Ａの穂先ホルダー部２に輪部分Ａａが徐々に締まってくる。その状態で竿先側に向けて更に移動させると、輪部分Ａａは穂先ホルダー部２の先側壁部２Ｂを越えて、糸取付軸部１Ａに至ることができる。
【００２３】
糸取付軸部１Ａに移動した釣り糸Ａの輪部分Ａａは十分に締まり切ってはいないが、予め糸取付軸部１Ａに巻回された状態にあるので、巻き掛ける操作は必要ではなく、締め付け操作を行うだけでよい。図１（ロ）に示す状態が、釣り糸Ａの結び目を締め付けて、糸取付軸部１Ａに装着固定した状態を示す。
【００２４】
また、鍔部１Ｂが穂先ホルダー部２の外周面の外径より大きく形成してあるので、穂先ホルダー部２より糸取付軸部１Ａに輪部分Ａａを移動させる際に、鍔部１Ｂを乗り越える不都合が少なく、釣り糸Ａを糸取付軸部１Ａに容易に移動させることができる。
図示した輪部分Ａａを締め付けて取り付けた状態であっても、輪部分Ａａは糸取付軸部１Ａに対して相対的に回転できるものである。したがって、魚の横走りによっても、その輪部分Ａａが糸取付軸部１Ａに対して回転して、釣り糸Ａに無理な張力を作用させることはない。
【００２５】
〔第２実施形態〕
ここでは、糸取付軸部１Ａ、鍔部１Ｂに対して、穂先ホルダー部２を別部品として構成する形態について説明する。図２に示すように、穂先ホルダー部２は第１実施形態のものと同様に、金属材料等で形成した先端が閉塞した筒状のものであり、筒状体２Ａの外周面は、竿先側に向けて徐々に大径化するテーパ面に形成してあり、前記した環状凹入溝２ａを備えている。
【００２６】
図２に示すように、糸取付軸部１Ａの竿先側端には鍔部１Ｂが取り付けられており、糸取付軸部１Ａの竿尻側端には、後記するように、穂先ホルダー部２の内部空間に位置する基端部１Ｃが形成されている。穂先ホルダー部２の筒状体２Ａの先端部分を閉塞する先側壁部２Ｂには軸線方向に沿った貫通孔２ｂが形成してあり、糸取付軸部１Ａがその貫通孔２ｂを貫通して、鍔部１Ｂ、糸取付軸部１Ａ、基端部１Ｃが一体物として、穂先ホルダー部２に対して軸線回りで回転可能に支持される。
【００２７】
図２に示すように、穂先ホルダー部２の内部空間内に位置する基端部１Ｃと穂先竿３の竿先端との間には、球状の軸受け体４が設けてあり、鍔部１Ｂ、糸取付軸部１Ａ、基端部１Ｃの一体物が、穂先ホルダー部２に対して軸線回りで回転するのを円滑に行えるようにしてある。糸取付軸部１Ａには、図２で示すように、穂先部ホルダー部２と輪部分Ａａの摩擦抵抗を低減する機能を発揮するワッシャである。
【００２８】
以上のような構成になる糸連結部材１に対して、釣り糸Ａを装着する場合に、穂先ホルダー部２の筒状体２Ａの外周面がテーパ面に形成されていることと、鍔部１Ｂが穂先ホルダー部２の外周面より大径である点との相乗効果によって、釣り糸Ａを糸取付軸部１Ａに装着するのを容易に行えるようになった。
【００２９】
〔第３実施形態〕
ここでは、糸取付軸部１Ａに釣り糸Ａを取り付けた状態で釣り糸Ａの装着部位を覆う被覆体５を設ける形態について説明する。図４（ロ）に示すように、被覆体５は、糸取付軸部１Ａに釣り糸Ａを取り付けた状態において、その糸取付軸部１Ａの竿先側に位置する鍔部１Ｂと穂先ホルダー部２の竿先側端との間に形成されている空間に入り込んで、糸取付軸部１Ａに取り付けられた釣り糸Ａの輪部分Ａａを覆い、釣り糸Ａが鍔部１Ｂを乗り越えて外れることを阻止する。
【００３０】
被覆体５自体が釣り糸連結部材１とともに回転して、固定側の穂先ホルダー部２に対して摩擦接触しないように、糸取付軸部１Ａに回転自在なワッシャ６が挿入してある。
【００３１】
被覆体５としては、図４及び図５に示すように、リング体５Ａであり、リング体５Ａの円周方向の一部分に切り欠き部５ａが設けてある。この切り欠き部５ａを形成することによって、糸取付軸部１Ａに取り付けられた釣り糸Ａがリング体５Ａの外側に延出されることを許容している。
【００３２】
尚、切り欠き部５ａの円周方向に沿った幅としては、釣り糸Ａの径より十分大きなものとすることとしてもよい。これによって、釣り糸Ａも糸取付軸部１Ａ回りで相対的に回転でき、釣り糸Ａの糸取付軸部１Ａに対する取付の自由度を確保できる。
リング体５Ａとしては、ＮＢＲ等のゴムや変形性の高い合成樹脂等が使用できる。
【００３３】
〔別の実施形態〕
（１）  糸連結部材１の鍔部１Ｂを穂先ホルダー部２より大径に構成することについて言及したが、鍔部１Ｂ自体は完全な円形状ではなく、図３に示めすように、円周面１ｃの一部に凹入部１ｂを形成したものであってもよい。この場合には、円周面１ｃの外径が穂先ホルダー部２の筒状体２Ａの外径より大であればよい。
（２）  穂先ホルダー部２に対して釣り糸連結部材１を軸線回りで回転可能に構成する際に、軸受け体４を特に介在させる必要はなく、穂先竿１の竿先端を直接穂先ホルダー部２の先端壁部２Ｂに接触させる構成を採ってもよい。
【図面の簡単な説明】
【００３４】
【図１】（イ）は、穂先竿に固定された穂先ホルダー部に釣り糸の輪部分を連結している状態を示す側面図、（ロ）は、釣り糸の輪部分を糸取付軸部に移動固定した状態を示す縦断側面図
【図２】（イ）は、糸取付軸部を回転自在に支持した穂先ホルダー部に釣り糸の輪部分を連結している状態を示す縦断側面図、（ロ）は、釣り糸の輪部分を糸取付軸部に移動固定した状態を示す縦断側面図
【図３】釣り糸連結部材の鍔部の別実施構造を示す正面図
【図４】（イ）は、被覆体を穂先ホルダー部に待機させている状態を示す縦断側面図、（ロ）は、被覆体を糸取付軸部に取り付けた糸に作用する状態を示す縦断側面図
【図５】被覆体を示す斜視図
【符号の説明】
【００３５】
１            釣り糸連結部材
１Ａ          糸取付軸部
１Ｂ          鍔部
２            穂先ホルダー部
３            穂先竿
５            被覆体
Ａ            釣り糸
【図１】
2008278841.tif 000003
【図２】
2008278841.tif 000004
【図３】
2008278841.tif 000005
【図４】
2008278841.tif 000006
【図５】
2008278841.tif 000007